(57)【要約】【課題】  光ディスクを再生する際に、ネットワークを介してダウンロードされた光ディスクに記録されていない音声データを再生して、光ディスクに記録された映像データの映像を視聴することができるようにする。【解決手段】  ネットワークを介してサーバから光ディスクに収録されていない音声データをダウンロードしてハードディスクに保存し、光ディスクに記録されている映像音声データの再生中の光ディスクの音声の切り替えが指令されたとき、ハードディスクに保存されている再生中の光ディスクの音声データの中から選択された他の音声データの再生に切り替えるようにする。【選択図】        図１
2006252713.tif 000002
【特許請求の範囲】
【請求項１】
記録媒体に映像音声データを記録再生する記録再生装置であって、
ネットワークを介してサーバから光ディスクに収録されていない音声データの配信情報を受信する受信手段と、前記受信手段により受信された音声データの配信情報を表示する表示手段と、前記表示手段により表示された配信情報の音声データのダウンロードが指令されたとき、ネットワークを介して光ディスクのＩＤをサーバに送信して、サーバに対して配信情報の音声データの送信を要求する送信要求手段と、ネットワークを介してサーバから送信されてきた音声データをダウンロードして光ディスクのＩＤとともにハードディスクに保存するダウンロード手段と、光ディスクに記録されている映像音声データを再生する再生手段と、再生中の光ディスクの音声の切り替えが指令されたとき、ハードディスクに保存されている再生中の光ディスクの音声データの中から選択された他の音声データの再生に切り替える再生切替手段とを備えたことを特徴とする記録再生装置。
【請求項２】
記録媒体に映像音声データを記録再生する記録再生装置であって、
ネットワークを介してサーバから光ディスクに収録されていない音声データの配信情報を受信する受信手段と、前記受信手段により受信された音声データの配信情報を表示する表示手段と、前記表示手段により表示された配信情報の音声データのダウンロードが指令されたとき、ネットワークを介して光ディスクのＩＤをサーバに送信して、サーバに対して配信情報の音声データの送信を要求する送信要求手段と、ネットワークを介してサーバから送信されてきた音声データをダウンロードしてハードディスクに保存するダウンロード手段とを備えたことを特徴とする記録再生装置。
【請求項３】
前記ダウンロード手段は、ダウンロードした音声データを光ディスクのＩＤとともにハードディスクに保存するダウンロード手段であることを特徴とする請求項２記載の記録再生装置。
【請求項４】
光ディスクに記録されている映像音声データを再生する再生手段と、再生中の光ディスクの音声の切り替えが指令されたとき、ハードディスクに保存されている再生中の光ディスクの音声データの中から選択された他の音声データの再生に切り替える再生切替手段とを更に備えたことを特徴とする請求項２記載の記録再生装置。
【発明の詳細な説明】
【技術分野】
【０００１】
本発明は、記録媒体に映像音声データを記録再生する記録再生装置に係り、特にネットワークを介して光ディスクに収録されていない音声データをハードディスクにダウンロードして再生することができる記録再生装置に関する。
【背景技術】
【０００２】
一般に、ＤＶＤ（Ｄｉｇｉｔａｌ  Ｖｅｒｓａｔｉｌｅ  Ｄｉｓｃ）等の光ディスクには映像データと音声データとが記録されていて、ユーザが光ディスクに記録された映像データと音声データとを再生して映像を視聴することができるようになっている。しかし、光ディスクの記録容量に限りがあるため、２チャンネルのステレオ音声データ、ドルビーデジタル（米国ドルビーラボラトリーズ社の商標）の５．１チャンネルの音声データ、ＤＴＳ（Ｄｉｇｉｔａｌ  Ｔｈｅａｔｅｒ  Ｓｙｓｔｅｍ）の高品質の音声データ、多言語の音声データ、解説等の音声データ等の全ての音声データが記録されていないのが実情である。そのため、所望の音声データが光ディスクに記録されていない場合、ユーザはその音声データを再生することができないという問題点があった。
背景技術としては、時分割多重処理により複数の映像情報を蓄積、または、蓄積されている複数の任意の映像情報を実時間で出力、または、１つ以上の映像情報を蓄積すると同時に蓄積されている１つ以上の任意の映像情報を実時間で出力するようにしたものがあった（例えば、特許文献１参照）。
また、第１の記録媒体より第１のＭＰＥＧデータを読み出して、読み出された第１のＭＰＥＧデータに基づいて第１のＭＰＥＧデータの特定のデータグループに対するその前後データグループの位置を示す位置情報を求め、第１のＭＰＥＧデータの決められた位置に位置情報を付加して第２のＭＰＥＧデータを生成して、第２のＭＰＥＧデータを第２の記録媒体に記録するようにしたものがあった（例えば、特許文献２参照）。
【特許文献１】特開平１０−２４３３５２号公報
【特許文献２】特開２００２−２１８３９３号公報
【発明の開示】
【発明が解決しようとする課題】
【０００３】
しかしながら、背景技術で述べたもののうち前者においては、時分割多重処理により複数の映像情報を蓄積、または、蓄積されている複数の任意の映像情報を実時間で出力、または、１つ以上の映像情報を蓄積すると同時に蓄積されている１つ以上の任意の映像情報を実時間で出力することができたが、ユーザが見たいときにいつでも録画済みの番組を見ることができるようにしたものであって、上記問題点を解決するようにしたものではなかった。
また、後者においては、第１の記録媒体より第１のＭＰＥＧデータを読み出して、読み出された第１のＭＰＥＧデータに基づいて第１のＭＰＥＧデータの特定のデータグループに対するその前後データグループの位置を示す位置情報を求め、第１のＭＰＥＧデータの決められた位置に位置情報を付加して第２のＭＰＥＧデータを生成して、第２のＭＰＥＧデータを第２の記録媒体に記録することができたが、ＡＶ（Ａｕｄｉｏ  Ｖｉｓｕａｌ）データを可変レートで、特殊再生をすることができるように記録媒体に記録するようにしたものであって、上記問題点を解決するようにしたものではなかった。
本発明は、背景技術の有するこのような問題点に鑑みてなされたものであり、その目的とするところは、光ディスクを再生する際に、ネットワークを介してダウンロードされた光ディスクに記録されていない音声データを再生して、光ディスクに記録された映像データの映像を視聴することができる記録再生装置を提供しようとするものである。
【課題を解決するための手段】
【０００４】
上記目的を達成するため本発明においては、記録媒体に映像音声データを記録再生する記録再生装置であって、ネットワークを介してサーバから光ディスクに収録されていない音声データの配信情報を受信する受信手段と、前記受信手段により受信された音声データの配信情報を表示する表示手段と、前記表示手段により表示された配信情報の音声データのダウンロードが指令されたとき、ネットワークを介して光ディスクのＩＤをサーバに送信して、サーバに対して配信情報の音声データの送信を要求する送信要求手段と、ネットワークを介してサーバから送信されてきた音声データをダウンロードしてハードディスクに保存するダウンロード手段とを備える。
前記ダウンロード手段は、ダウンロードした音声データを光ディスクのＩＤとともにハードディスクに保存するようにするとよい。
更に、光ディスクに記録されている映像音声データを再生する再生手段と、再生中の光ディスクの音声の切り替えが指令されたとき、ハードディスクに保存されている再生中の光ディスクの音声データの中から選択された他の音声データの再生に切り替える再生切替手段とを更に備える。
これらの手段により、光ディスクを再生する際に、ネットワークを介してダウンロードされた光ディスクに記録されていない音声データを再生して、光ディスクに記録された映像データの映像を視聴することができる。
【発明の効果】
【０００５】
請求項１記載の発明に係る記録再生装置によれば、ネットワークを介してサーバから光ディスクに収録されていない音声データの配信情報を受信し、受信された音声データの配信情報を表示して、表示された配信情報の音声データのダウンロードが指令されたとき、ネットワークを介して光ディスクのＩＤをサーバに送信して、サーバに対して配信情報の音声データの送信を要求し、ネットワークを介してサーバから送信されてきた音声データをダウンロードして光ディスクのＩＤとともにハードディスクに保存し、光ディスクに記録されている映像音声データの再生中の光ディスクの音声の切り替えが指令されたとき、ハードディスクに保存されている再生中の光ディスクの音声データの中から選択された他の音声データの再生に切り替えるようにしているので、光ディスクを再生する際に、ネットワークを介してダウンロードされた光ディスクに記録されていない音声データを再生して、光ディスクに記録された映像データの映像を視聴することができる。また、音声データをダウンロードする際に、光ディスクのＩＤの送信するようにしているので、ネットワークを介して配信される音声データの著作権を保護することができる。
請求項２記載の発明に係る記録再生装置によれば、ネットワークを介してサーバから光ディスクに収録されていない音声データの配信情報を受信し、受信された音声データの配信情報を表示して、表示された配信情報の音声データのダウンロードが指令されたとき、ネットワークを介して光ディスクのＩＤをサーバに送信して、サーバに対して配信情報の音声データの送信を要求し、ネットワークを介してサーバから送信されてきた音声データをダウンロードしてハードディスクに保存するようにしているので、光ディスクを再生する際に、ネットワークを介してダウンロードされた光ディスクに記録されていない音声データを再生して、光ディスクに記録された映像データの映像を視聴することができる。また、音声データをダウンロードする際に、光ディスクのＩＤの送信をするようにしているので、ネットワークを介して配信される音声データの著作権を保護することができる。
請求項３記載の発明に係る記録再生装置によれば、ダウンロードした音声データを光ディスクのＩＤとともにハードディスクに保存するようにしているので、ダウンロードされた音声データを光ディスクに対応させてハードディスクに保存することができる。
請求項４記載の発明に係る記録再生装置によれば、光ディスクに記録されている映像音声データの再生中の光ディスクの音声の切り替えが指令されたとき、ハードディスクに保存されている再生中の光ディスクの音声データの中から選択された他の音声データの再生に切り替えるようにしているので、再生中でない光ディスクの音声データが再生されることがなく、ダウンロードされた音声データの著作権を保護することができる。
【発明を実施するための最良の形態】
【０００６】
以下、適宜図面を参照しながら本発明を実施するための最良の形態を詳述する。図１は本発明の一実施例の記録再生装置の構成を示すブロック図であり、図２は本発明の一実施例の記録再生装置の動作を示すフローチャートであり、図３は本発明の一実施例の記録再生装置の動作を示すフローチャートである。
まず、図１の本発明の一実施例の記録再生装置の構成を示すブロック図を基に説明する。
記録再生装置１０は、光ディスクに映像音声データを記録再生するＤＶＤ部１１と、ハードディスクに映像音声データを記録再生するＨＤＤ部１２と、ＨＤＤ部１２とＤＶＤ部１１との映像音声データの記録再生を制御するストレージ制御部１３と、映像音声データの圧縮、伸張、複合、符号化等の信号処理を行う信号処理回路１４と、映像音声データを増幅し、音声データをスピーカ３０に出力する出力回路１５と、文字情報データを映像データに重畳して、文字情報をモニタ装置４０の画面に表示するＯＳＤ（Ｏｎ−Ｓｃｒｅｅｎ  Ｃｈａｒａｃｔｅｒ  Ｄｉｓｐｌａｙ）回路１６と、記録再生装置１０のシステム全体を制御するマイコン１７と、リモコン装置２０から送信された赤外線信号のリモコン信号を受信して、所定の電気信号に変換するリモコン受信部１８と、ネットワーク５０を介してサーバ６０に接続するモデム１９とで構成されている。
以上のように構成された記録再生装置について、以下その動作について説明する。
リモコン装置２０の操作キーの操作により、ＤＶＤ部１１に装着された光ディスクに収録されていない音声データの配信情報の受信が指令されると、マイコン１７は、ネットワーク５０を介してサーバ６０からＤＶＤ部１１に装着された光ディスクに収録されていない音声データの配信情報を受信し、ＯＳＤ回路１６に文字情報信号と制御信号とを送出して、ネットワーク５０を介して受信した音声データの配信情報をモニタ装置４０の画面に表示する（図示せず）。そして、リモコン装置２０の操作キーの操作によりモニタ装置４０の画面に表示された配信情報の音声データのダウンロードが指令されると、マイコン１７は、ＤＶＤ部１１に装着されている光ディスクのＩＤをサーバ６０にネットワーク５０を介して送信し、サーバ６０に対して音声データの送信を要求する。ネットワーク５０を介してサーバ６０から音声データが送信されてくると、マイコン１７は、サーバ６０から送信されてきた音声データをダウンロードして、ＨＤＤ部１２のハードディスクにＤＶＤ部１１に装着されている光ディスクのＩＤとともに保存する。
リモコン装置２０の操作キーの操作により光ディスクの再生が指令されると、マイコン１７は、ストレージ制御部１３に制御信号を送出して、ＤＶＤ部１１に装着された光ディスクに記録されている映像音声データを再生する。そして、リモコン装置２０の操作キーの操作により音声の切り替えが指令されると、マイコン１７は、ネットワーク５０を介してサーバ６０からダウンロードされてＨＤＤ部１２のハードディスクに保存されている再生中の光ディスクのＩＤに対応した音声データの中から選択された他の音声データの再生に切り替える。なお、ＨＤＤ部１２のハードディスクに保存された他の音声データの再生中に、ＤＶＤ部１１に装着された光ディスクに記録されている音声データの再生への切り替えが指令された場合、マイコン１７は、ストレージ制御部１３に制御信号を送出して、光ディスクに記録されている音声データの再生に切り替える。なお、ＨＤＤ部１２のハードディスクにダウンロードされている音声データは、ＤＶＤ部１１に装着された光ディスクに記録されている映像データの再生中のみ、光ディスクに記録されている音声データと切り替えて再生することができるようになっていて、音声データの著作権が保護されるようになっている。
また、図２の本発明の一実施例の記録再生装置の動作を示すフローチャートを基に説明する。
リモコン装置の操作キーの操作によりＤＶＤ部に装着された光ディスクに収録されていない音声データの配信情報の受信が指令されると、ステップＳ１からステップＳ２に進み、ステップＳ２で、ＤＶＤ部に装着された光ディスクに収録されていない音声データの配信情報がネットワークを介してサーバから受信され、受信された音声データの配信情報がモニタ装置の画面に表示され、ステップＳ３に進む。
ステップＳ３で、リモコン装置の操作キーの操作によりモニタ装置の画面に表示された配信情報の音声データのダウンロードが指令されたか否かが判断され、モニタ装置の画面に表示された配信情報の音声データのダウンロードが指令された場合、ステップＳ４に進み、モニタ装置の画面に表示された配信情報の音声データのダウンロードが指令されない場合、ステップＳ７に進んで処理を終了する。
ステップＳ４で、ＤＶＤ部に装着されている光ディスクのＩＤがネットワークを介してサーバに送信され、サーバに対して音声データの送信が要求されて、ステップＳ５に進む。
ステップＳ５で、ネットワークを介してサーバから送信されてきた音声データがダウンロードされ、ＨＤＤ部のハードディスクに光ディスクのＩＤとともに保存されて、ステップＳ６に進む。
ステップＳ６で、音声データのハードディスクへのダウンロードが終了したか否かが判断され、音声データのハードディスクへのダウンロードが終了した場合、ステップＳ７に進んで処理を終了し、音声データのハードディスクへのダウンロードが終了していない場合、ステップＳ５に戻って、ステップＳ５からのステップを繰り返す。
また、図３の本発明の一実施例の記録再生装置の動作を示すフローチャートを基に説明する。
リモコン装置の操作キーの操作により光ディスクの再生が指令されると、ステップＳ１１からステップＳ１２に進み、ステップＳ１２で、ＤＶＤ部に装着された光ディスクに記録されている映像音声データが再生され、ステップＳ１３に進む。
ステップＳ１３で、リモコン装置の操作キーの操作により再生中の音声の切り替えが指令されたか否かが判断され、再生中の音声の切り替えが指令された場合、ステップＳ１４に進み、再生中の音声の切り替えが指令されていない場合、ステップＳ１７に進む。
ステップＳ１４で、ＨＤＤ部のハードディスクに保存されている再生中の光ディスクの他の音声データの再生中であるか否かが判断され、ハードディスクに保存されている他の音声データの再生中である場合、ステップＳ１６に進み、ハードディスクに保存されている他の音声データの再生中でない場合、ステップＳ１５に進む。
ステップＳ１５で、ネットワークを介してサーバからダウンロードされてＨＤＤ部のハードディスクに保存されている再生中の光ディスクのＩＤに対応した他の音声データの中から選択された他の音声データの再生に切り替えられ、ステップＳ１７に進む。
ステップＳ１６で、ＤＶＤ部に装着された光ディスクに記録されている音声データの再生に切り替えられ、ステップＳ１７に進む。
ステップＳ１７で、リモコン装置の操作キーの操作により光ディスクの再生停止が指令されたか否かが判断され、光ディスクの再生停止が指令された場合、ステップＳ１８に進んで処理を終了し、光ディスクの再生停止が指令されていない場合、ステップＳ１３に戻って、ステップＳ１３からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例の記録再生装置の構成を示すブロック図である。
【図２】本発明の一実施例の記録再生装置の動作を示すフローチャートである。
【図３】本発明の一実施例の記録再生装置の動作を示すフローチャートである。
【符号の説明】
【０００８】
１０  記録再生装置
１１  ＤＶＤ部
１２  ＨＤＤ部
１３  ストレージ制御部
１４  信号処理回路
１５  出力回路
１６  ＯＳＤ回路
１７  マイコン
１８  リモコン受信部
１９  モデム
２０  リモコン装置
３０  スピーカ
４０  モニタ装置
５０  ネットワーク
６０  サーバ
【図１】
2006252713.tif 000003
【図２】
2006252713.tif 000004
【図３】
2006252713.tif 000005